(57)【要約】  患者支持装置は、患者を支持するマットレスと、マットレスに連結された低容量転回ブラダと、転回ブラダを膨張させる低容量高圧空気供給源とを具える。 一実施形態において、患者支持装置は、患者を支持するマットレスと、マットレスの第１の長手方向の端部に沿って配置された複数の第１低容量転回ブラダと、複数の第１ブラダを膨張させる低容量高圧空気供給源とを具える。空気供給源は、１−２００ｍｍＨｇの圧力で、１分あたり０．１−１００Ｌの空気を供給することができる。【選択図】図１
2017522166.tif 000002
【特許請求の範囲】
【請求項１】
患者をサポートするマットレスと、
膨張状態まで膨らんだときに前記マットレスがターンするように前記マットレスの長手方向端部に沿って配置された複数の第１低容量転回ブラダと、
を具えることを特徴とする患者支持装置。
【請求項２】
請求項１に記載の患者支持装置が更に、前記複数の第１ブラダを膨張させるように配置された低容量高圧空気供給源を具えることを特徴とする患者支持装置。
【請求項３】
請求項２に記載の患者支持装置において、前記空気供給源が、１−２００ｍｍＨｇの圧力で１分あたり約０．１−１００Ｌの空気を供給して前記複数の第１ブラダを膨張させること特徴とする患者支持装置。
【請求項４】
請求項１に記載の患者支持装置において、少なくとも１つの転回ブラダが、前記マットレスの幅の約１０−２５％の幅を有することを特徴とする患者支持装置。
【請求項５】
請求項１に記載の患者支持装置において、少なくとも１つの転回ブラダが、前記マットレスの幅の約２０％未満の幅を有することを特徴とする患者支持装置。
【請求項６】
請求項１に記載の患者支持装置において、少なくとも１つの転回ブラダが、前記マットレス長さの５−１５％の長さを有することを特徴とする患者支持装置。
【請求項７】
請求項１に記載の患者支持装置において、少なくとも１つの転回ブラダが、前記マットレス長さの約１０％未満の長さを有することを特徴とする患者支持装置。
【請求項８】
請求項１に記載の患者支持装置において、少なくとも１つの転回ブラダが、膨張状態において、前記マットレスの容積の約４−２０％の容積を有することを特徴とする患者支持装置。
【請求項９】
請求項１に記載の患者支持装置において、少なくとも１つの転回ブラダが、膨張状態において、前記マットレスの容積の約１０％未満の容積を有することを特徴とする患者支持装置。
【請求項１０】
請求項１に記載の患者支持装置が更に、前記マットレスの第２の長手方向端部に沿って配置された複数の第２低容量転回ブラダを具え、前記空気供給源が、前記複数の第２転回ブラダを膨張させることを特徴とする患者支持装置。
【請求項１１】
請求項１に記載の患者支持装置が更に、前記マットレスが支持台から移動するのを防ぐための、前記マットレスに連結されたストラップを具えることを特徴とする患者支持装置。
【請求項１２】
請求項１に記載の患者支持装置が更に、前記複数のブラダを前記空気供給源に流体連結するマニフォールドを具えることを特徴とする患者支持装置。
【請求項１３】
請求項１２に記載の患者支持装置において、前記マニフォールドが、クイックコネクションポートを具えることを特徴とする患者支持装置。
【請求項１４】
請求項１に記載の患者支持装置において、前記マットレスが、複数の膨張式クッションを具える膨張式のマットレスであることを特徴とする患者支持装置。
【請求項１５】
請求項１に記載の患者支持装置において、前記マットレスが、膨張式クッションの下層に連結された膨張式クッションの上層を具えることを特徴とする患者支持装置。
【請求項１６】
請求項１５に記載の患者支持装置において、前記膨張式クッションの下層が互いに流体連結して単一の区画を形成していることを特徴とする患者支持装置。
【請求項１７】
請求項１５に記載の患者支持装置において、前記膨張式クッションの上層が、複数の区画を具えることを特徴とする患者支持装置。
【請求項１８】
請求項１７に記載の患者支持装置において、前記区画が、頭用区画、肩用区画、胴体用区画、及び脚用区画を具えることを特徴とする患者支持装置。
【請求項１９】
請求項１に記載の患者支持装置が更に、前記転回ブラダと前記マットレスとの間に配置された実質的に硬質の台を具えることを特徴とする患者支持装置。
【請求項２０】
請求項１乃至３の何れか１項に記載の患者支持装置において、各転回ブラダが、前記マットレスの幅の約１０−２５％の幅を有することを特徴とする患者支持装置。
【請求項２１】
請求項１乃至３及び２０の何れか１項に記載の患者支持装置において、各転回ブラダが、前記マットレスの幅の約２０％未満の幅を有することを特徴とする患者支持装置。
【請求項２２】
請求項１乃至３、２０及び２１の何れか１項に記載の患者支持装置において、各転回ブラダが、前記マットレスの長さの５−１５％の長さを有することを特徴とする患者支持装置。
【請求項２３】
請求項１乃至３及び２０乃至２２の何れか１項に記載の患者支持装置において、各転回ブラダが、前記マットレスの長さの約１０％未満の長さを有することを特徴とする患者支持装置。
【請求項２４】
請求項１乃至３及び２０乃至２３の何れか１項に記載の患者支持装置において、各転回ブラダが、膨張状態において、前記マットレスの容積の約４−２０％の容積を有することを特徴とする患者支持装置。
【請求項２５】
請求項１乃至３及び２０乃至２４の何れか１項に記載の患者支持装置において、各転回ブラダが、膨張状態において、前記マットレスの容積の約１０％未満の容積を有することを特徴とする患者支持装置。
【請求項２６】
請求項１乃至３及び２０乃至２５の何れか１項に記載の患者支持装置が更に、前記マットレスの第２の長手方向端部に沿って配置された複数の第２低容量転回ブラダを具え、前記空気供給源が、前記複数の第２転回ブラダを膨張させることを特徴とする患者支持装置。
【請求項２７】
請求項１乃至３及び２０乃至２６の何れか１項に記載の患者支持装置が更に、支持台から前記マットレスが移動するのを防ぐための、前記マットレスに連結されたストラップを具えることを特徴とする患者支持装置。
【請求項２８】
請求項１乃至３又は２０乃至２７の何れか１項に記載の患者支持装置が更に、前記複数のブラダを前記空気供給源に流体連結するマニフォールドを具えることを特徴とする患者支持装置。
【請求項２９】
請求項２８に記載の患者支持装置において、前記マニフォールドが、クイックコネクションポートを具えることを特徴とする患者支持装置。
【請求項３０】
請求項１乃至３及び２０乃至２８の何れか１項に記載の患者支持装置において、前記マットレスが、複数の膨張式クッションを具える膨張式マットレスであることを特徴とする患者支持装置。
【請求項３１】
請求項１乃至３及び２０乃至３０の何れか１項に記載の患者支持装置において、前記マットレスが、膨張式クッションの下層に連結された膨張式クッションの上層を具えることを特徴とする患者支持装置。
【請求項３２】
請求項３１に記載の患者支持装置において、前記膨張式クッションの下層が互いに流体連結して単一の区画を形成することを特徴とする患者支持装置。
【請求項３３】
請求項３１に記載の患者支持装置において、前記膨張式クッションの上層が、複数の区画を具えることを特徴とする患者支持装置。
【請求項３４】
請求項３３に記載の患者支持装置において、前記区画が、頭用区画、肩用区画、胴体用区画、及び脚用区画を具えることを特徴とする患者支持装置。
【請求項３５】
請求項１乃至３及び３０乃至３４の何れか１項に記載の患者支持装置において、前記転回ブラダと前記マットレスとの間に配置された実質的に硬質の台を更に具え、前記マットレスが医療用マットレスであることを特徴とする患者支持装置。
【請求項３６】
空気供給源からの空気により、請求項１に記載の患者支持装置の複数の第１低容量転回プラダを膨張させるステップと；
前記複数の第１低容量転回プラダを膨張状態まで膨らませて前記マットレスをターンさせるステップであって、前記空気供給源が、１−２００ｍｍＨｇの圧力で１分当たり約０．１−１００Ｌの空気を供給して前記複数の第１ブラダを膨張させる、ステップと
を具えることを特徴とする、マットレスをターンさせる方法。
【発明の詳細な説明】
【技術分野】
【０００１】
この出願は、２０１４年７月２５日に出願された、一般に医療用マットレスシステムに関する米国特許出願番号第６２／０２９，１６５号の優先権を主張しており、ここに本明細書の一部を構成するものとして、上記の内容を援用する。
【０００２】
この出願は、一般に医療用マットレスシステムに関するものであり、より具体的には、低容量転回ブラダを有する医療用マットレスシステムに関する。
【背景技術】
【０００３】
機能的な医療用マットレスシステムは、患者のケア、サポート、苦痛の緩和に使用されている。一般的には、このようなマットレスは、膨張式のブラダを選択的に膨張させる空気供給源を具え、転回、傾斜、低気圧治療、パルセイションセラピー、パーカッションセラピー及びその他力学的な治療のような様々な医療用処置を提供している。
【０００４】
一般的には、転回力を持つ機能的な医療用マットレスシステムは、非常に大きな容積のブラダを用いており、大容量のブロワーによって空気を供給し、患者をサポート及び／又は転回させる。このようなブロワーは、高価であり、騒音が多く不便である。したがって、医療用マットレスシステムを改良する必要性がある。
【発明の概要】
【０００５】
１つの実施形態では、患者支持装置は、患者を支持するマットレスと、マットレスの第１の長手方向の端部に沿って配置された複数の第１低容量転回ブラダと、複数の第１ブラダを膨張させる低容量高圧空気供給源とを具える。空気供給源は、１−２００ｍｍＨｇの圧力で、１分あたり、０．１−１００Ｌの間の空気を供給することができる。
【０００６】
転回ブラダの幅は、マットレスの幅の１０−２５％の幅か、又はマットレスの幅の１５−２０％であってもよい。転回ブラダの長さは、マットレスの長さの５−１５％か、又はマットレスの長さの５−１０％であってもよい。転回ブラダの容積は、膨張状態において、マットレスの容積の約４−２０％か、又はマットレスの容積の約１０％未満であってもよい。
【０００７】
複数の第２低容量の転回ブラダは、マットレスの第２の長手方向の端部に沿って配置されてもよい。ストラップはマットレスをフレームに連結して、マットレスの移動を防止することができる。複数のブラダを空気供給源に流体連結するマニフォールドを設けてもよい。このマニフォールドは、クイックコネクションポートを具えていてもよい。
【０００８】
マットレスは、複数の膨張式のクッションを有する膨張式のマットレスであってもよい。マットレスは、クッションの下層に連結されたクッションの上層を具えていてもよい。クッションの下層は、互いに流体連結されており、単一の区画を形成している。
【０００９】
クッションの上層は、複数の区画を具えてもよい。この区画は、頭用区画、肩用区画、胴体用区画、及び脚用区画を具えていてもよい。実質的に硬質の支持台を転回ブラダの間に配置してもよい。
【００１０】
「連結される」という用語は、接続されることを規定するものであり、必ずしも直接的でなくてもよい。「１つの」という用語は、開示が明記していない限り、１又はそれ以上を規定するものである。
【００１１】
当業者に理解されるように、「実質的に」、「約（ａｐｐｒｏｘｉｍａｔｅｌｙ）」、「約（ａｂｏｕｔ）」という用語は、広く規定されるものであって、必ずしも全てが特定されたものではない（特定されているものを含む；例えば、「実質的に９０度」は９０度を含み、「実質的に平行」は平行を含む）。開示された如何なる実施形態においても、「実質的に」、「約（ａｐｐｒｏｘｉｍａｔｅｌｙ）」、「約（ａｂｏｕｔ）」という用語は、特定されたものの「〜（％）の範囲内で」と置き換えることができ、この割合は、０．１、１、５、１０％を含む。
【００１２】
用語「具える（ｃｏｍｐｒｉｓｅ）」（ｃｏｍｐｒｉｓｅｓやｃｏｍｐｒｉｓｉｎｇ等のｃｏｍｐｒｉｓｅの全ての変形）、用語「有する（ｈａｖｅ）」（ｈａｓやｈａｖｉｎｇ等のｈａｖｅの全ての変形)、用語「含む（ｉｎｃｌｕｄｅ）」（ｉｎｃｌｕｄｅｓやｉｎｃｌｕｄｉｎｇ等のｉｎｃｌｕｄｅの全ての変形）、用語「含有する（ｃｏｎｔａｉｎ）」（ｃｏｎｔａｉｎｓやｃｏｎｔａｉｎｉｎｇ等のｃｏｎｔａｉｎの全ての変形）は、制限のない連結動詞である。その結果、１又はそれ以上の構成要素を具える、有する、含む、又は含有するシステム又はシステムの構成要素は、それらの１又はそれ以上の要素又は特徴を所有するが、それらの要素又は特徴のみを所有することに制限されない。同様に、１又はそれ以上のプロセスを具える、有する、含む、又は含有する方法は、それらの１又はそれ以上のプロセスを所有するが、それらの１又はそれ以上のプロセスのみを所有することに制限されない。更に、「第１の」及び「第２の」のような用語は、単に構造物や特徴を区別するために使用されており、異なる構造物や特徴を特定の順序に制限するものではない。
【００１３】
特定の方法で構成されるデバイス、システム又はそれらの構成要素は、少なくともその方法で構成されているが、それらは特に記載された方法以外の他の方法で構成されてもよい。
【００１４】
全てのシステム及び方法の如何なる実施形態も、記載された如何なる要素、特徴、及び／又はステップを、具える、有する、含む、又は含有する、のではなく、構成する、又は原則的に構成することができる。したがって、全ての請求項において、与えられた請求項の範囲を変更するためには、上記のように制限のない連結動詞を用いることとは違った方法で、上記の制限のない連結動詞を「を構成する（ｃｏｎｓｉｓｔｉｎｇ ｏｆ）」又は「を原則的に構成する（ｃｏｎｓｉｓｔｉｎｇ ｅｓｓｅｎｔｉａｌｌｙ ｏｆ）」という用語で置き換えることができる。
【００１５】
１つの実施形態の１又は複数の特徴は、本明細書の記載又は実施形態の特性により明確に禁止されている場合を除き、記載又は図示にかかわらずその他の実施形態に適用することができる。
【００１６】
上記又はその他に記載された実施形態に関連する詳細は、以下に示される。
【図面の簡単な説明】
【００１７】
【図１】図１は、本願に記載の実施形態による医療用マットレスシステムの上面図である。
【図２】図２は、図１の医療用マットレスシステムの側面図である。
【図３】図３は、図１の医療用マットレスシステムの等角図である。
【図４】図４は、図１の医療用マットレスシステムの端面図である。
【発明を実施するための形態】
【００１８】
以下の詳細な説明では、添付の図面とともに説明がなされており、これらは例示的に示されるものであって、発明の実施形態を制限かつ排除するものではない。これらの実施形態は、当業者が実施形態を十分に実施できるように詳細に記載されており、記載の意図又は範囲から逸脱することがなくその他の実施形態も使用され、その他の変形がなされてもよいことが理解される。したがって、以下の詳細な説明は、制限する意図で用いられるものではなく、発明の範囲は特許請求の範囲によってのみ規定される。添付図面において、同じ参照数字は、指定されない限り各図にわたって同じ部分を示している。
【００１９】
図１−４に示される実施形態を参照すると、患者支持装置１００は、支持台１２０に配置されたマットレス１１０、台を上昇及び下降させる複数の膨張式の転回ブラダ１３０、及び、転回ブラダ１３０を膨張させる流体供給源１４０を具える。
【００２０】
一実施形態において、マットレス１１０は、膨張式のマットレスを具えるが、非膨張式のマットレスを使用してもよい。膨張式のマットレス１１０は、複数の膨張式のクッション１５０によって形成される。図に示す実施形態において、膨張式のクッション１５０は、２つの層１６０、１７０に配置されている。膨張式のクッション１５０の下層１７０は、互いに流体接続されており、１又はそれ以上の区画を形成している。一実施形態において、下層１７０は単一の区画を具え、区画全体にわたって固さと圧力分配を提供している。膨張式のクッションの上層１６０も、１又はそれ以上の区画を具えている。一実施形態において、上層１６０は、頭用の区画１８０、肩用の区画１９０、胴体用の区画２００、及び脚用の区画２１０の４つの区画を具えている。４つの区画はそれぞれ、異なる圧力と異なる支持量とを提供するように個別に制御されている。マットレス１１０は、拡張可能な長さの部分２２０と拡張バルブ接続部２６０を具えており、調整可能なベッドフレームの長さに適応させている。
【００２１】
一実施形態として、マットレス１１０は、実質的に硬質支持台１２０によって支持されている。支持台１２０は、マットレス１１０全体を、同時に移動することのできるような固さを提供する。支持台１２０は、第２の支持台２３０と連結して、操作中に、支持台１２０とマットレス１１０とを所望の位置に維持するようにしてもよい。一実施形態においては、ストラップ２４０を用いて、支持台１２０を支持台２３０に連結している。
【００２２】
１又はそれ以上の転回ブラダ１３０は、マットレス１１０の長手方向の端部２５０、２６０それぞれに沿って配置されている。明確にするために、転回ブラダ１３０は、マットレス１１０の片側２５０に沿ってのみ示されている。一実施形態において、各転回ブラダは、マットレス１１０の容積に比べて、比較的低容量である。例えば、膨張状態の転回ブラダ１３０の容積は、マットレスの容積の４−２０％であってもよい。一実施形態において、膨張状態にある転回ブラダ１３０の容積は、マットレスの容積の１０％未満であり、特に、一実施形態では、その容積はマットレス容積の約６．５％である。使用できる転回ブラダ１３０の数はいくつでもよい。図示された実施形態においては、４つの転回ブラダ１３０が、マットレス１１０の片側２５０に沿って設けられている。
【００２３】
一実施形態において、転回ブラダ１３０は、柱状のブラダとして構成されている。本明細書で用いられているように、柱状とは、マットレス１１０の長さ及び幅と比較したときに、相対的に幅と長さが短いことを意味する。幾つかの実施形態において、ブラダの幅は、マットレス１１０の幅の１０−２５％である。その他の実施形態においては、ブラダの幅が、マットレスの幅の約２０％未満であり、又はマットレスの幅の約１７％である。幾つかの実施形態においては、ブラダの長さは、マットレスの長さの５−１５％である。その他の実施形態においては、ブラダの長さは、マットレスの長さの約１０％未満であり、又はマットレスの長さの約７％である。柱状のブラダは、四角形、円形又はその他の如何なる形状であってもよい。転回ブラダ１３０の高さが、マットレス１１０の回転角度を決定する。ある実施形態において、転回ブラダ１３０の高さは、水平に対し２０度の角度でマットレス１１０をターンさせるよう選択されている。その他の実施形態では、転回ブラダ１３０の高さが、マットレスの幅の約２５％未満であり、別の特定の実施形態においては、マットレスの幅の２３％である。
【００２４】
一実施形態において、転回ブラダ１３０は、移動可能にマットレス１１０に取り付けられており、個々の転回ブラダ１３０は交換が可能である。特に一実施形態においては、転回ブラダ１３０がジッパーで取り付けられている。
【００２５】
流体供給源１４０は、転回ブラダ１３０に連結されており、流体を供給し、転回ブラダ１３０を膨張させる。１つの実施形態において、供給源１４０は、１−２００ｍｍＨｇの圧力で、１分当たり０．１−１００Ｌの空気を供給する。従来の転回マットレスと比較すると、容量が非常に小さく圧力が非常に高い。
【００２６】
流体供給源１４０は、転回ブラダ１３０に直接的に連結されていてもよく、又はチューブを介して連結されていてもよい。１つの実施形態において、転回ブラダ１３０は、チューブによってマニフォールド２７０に連結されている。マニフォールド２７０は、着脱が容易な装着であり、空気供給源を素早く転回ブラダ１３０に連結し、又は転回ブラダ１３０から取り外すことができる。
【００２７】
作動時に、低容量で高圧の空気供給源１４０は、転回ブラダ１３０へ選択的に空気を供給し、マットレス１１０の一縁部に沿ってブラダを膨張させ、また収縮させる。ブラダを膨張させると、ブラダはマットレス１１０の片側を持ち上げ、マットレスをターンさせる。ブラダが収縮すると、マットレス１１０は水平位置へ戻る。このプロセスは、マットレス１１０のもう一方の縁部で転回ブラダ１３０を用いて繰り返すことができる。
【００２８】
低容量で高圧の空気供給源の使用は、従来のシステムに対して幾つかの利点を提供する。例えば、低容量で高圧の空気供給源は、従来の高容量で低圧の空気供給源よりも静かであり、エネルギー効率が高い。更に、低容量であるため、迅速な膨張及び収縮が可能となり、それによって迅速な転回が達成される。
【００２９】
上記の詳細や実施例は、構造の全ての記載と例示的な実施形態の使用を提供している。特定の実施形態は、具体的な特定の角度や１又はそれ以上のそれぞれ実施形態と共に上記に記載されているが、当業者は、発明の範囲から逸脱することなく、開示された実施形態のさまざまな変更を行うことができる。このように、示された様々な本願の装置の実施形態は、開示された特定の形態に限定されるものではない。むしろ、それらは、請求の範囲内へと落とし込むあらゆる改良及び代替手段を含んでおり、示された１以上のその他の実施形態は、示された実施形態の特徴の幾つか又は全てを包含することができる。例えば、構成要素は、単一の構造物として組み合わせられてもよく、及び／又は接続は置き換えられてもよい（例えば、装着は、圧入又は溶接と置き換えられてもよい。）更に、使用場所や、上記の如何なる実施例の特徴も、その他の例の如何なる特徴と組み合わせて、同等又は異なる特徴を持ち、同じ又は異なる問題点を解決する更なる実施例を成すことができる。同様に、上記の利益及び利点は、ある実施形態又は幾つかの実施形態に関連し得る。
【００３０】
それぞれ、「〜の方法」、又は「〜のステップ」という文を用いて提示された請求項では、制限が明確に記載されている場合を除き、請求項がミーンズ・プラス・ファンクションの制限を含むことを意図しておらず、又は含むと解釈されるべきではない。
【図１】
2017522166.tif 000003
【図２】
2017522166.tif 000004
【図３】
2017522166.tif 000005
【図４】
2017522166.tif 000006
【手続補正書】
【提出日】平成28年2月25日(2016.2.25)
【手続補正１】
【補正対象書類名】明細書
【補正対象項目名】全文
【補正方法】変更
【補正の内容】
【発明の詳細な説明】
【技術分野】
【０００１】
この出願は、２０１４年７月２５日に出願された、一般に医療用マットレスシステムに関する米国特許出願番号第６２／０２９，１６５の優先権を主張しており、ここに本明細書の一部を構成するものとして、上記の内容を援用する。
【０００２】
この出願は、一般に医療用マットレスシステムに関するものであり、より具体的には、低容量転回ブラダを有する医療用マットレスシステムに関する。
【背景技術】
【０００３】
機能的な医療用マットレスシステムは、患者のケア、サポート、苦痛の緩和に使用されている。一般的には、このようなマットレスは、膨張式のブラダを選択的に膨張させる空気供給源を具え、転回、傾斜、低気圧治療、パルセイションセラピー、パーカッションセラピー及びその他力学的な治療のような様々な医療用処置を提供している。
【０００４】
一般的には、転回力を持つ機能的な医療用マットレスシステムは、非常に大きな容積のブラダを用いており、大容量のブロワーによって空気を供給し、患者をサポート及び／又は転回させる。このようなブロワーは、高価であり、騒音が多く不便である。したがって、医療用マットレスシステムを改良する必要性がある。
【発明の概要】
【０００５】
１つの実施形態では、患者支持装置は、患者を支持するマットレスと、マットレスの第１の長手方向の端部に沿って配置された複数の第１低容量転回ブラダと、複数の第１ブラダを膨張させる低容量高圧空気供給源とを具える。空気供給源は、１−２００ｍｍＨｇの圧力で、１分あたり、０．１−１００Ｌの間の空気を供給することができる。
【０００６】
転回ブラダの幅は、マットレスの幅の１０−２５％の幅か、又はマットレスの幅の１５−２０％であってもよい。転回ブラダの長さは、マットレスの長さの５−１５％か、又はマットレスの長さの５−１０％であってもよい。転回ブラダの容積は、膨張状態において、マットレスの容積の約４−２０％か、又はマットレスの容積の約１０％未満であってもよい。
【０００７】
複数の第２低容量の転回ブラダは、マットレスの第２の長手方向の端部に沿って配置されてもよい。ストラップはマットレスをフレームに連結して、マットレスの移動を防止することができる。複数のブラダを空気供給源に流体連結するマニフォールドを設けてもよい。このマニフォールドは、クイックコネクションポートを具えていてもよい。
【０００８】
マットレスは、複数の膨張式のクッションを有する膨張式のマットレスであってもよい。マットレスは、クッションの下層に連結されたクッションの上層を具えていてもよい。クッションの下層は、互いに流体連結されており、単一の区画を形成している。
【０００９】
クッションの上層は、複数の区画を具えてもよい。この区画は、頭用区画、肩用区画、胴体用区画、及び脚用区画を具えていてもよい。実質的に硬質の支持台を転回ブラダの間に配置してもよい。
【００１０】
「連結される」という用語は、接続されることを規定するものであり、必ずしも直接的でなくてもよい。「１つの」という用語は、開示が明記していない限り、１又はそれ以上を規定するものである。
【００１１】
当業者に理解されるように、「実質的に」、「約（ａｐｐｒｏｘｉｍａｔｅｌｙ）」、「約（ａｂｏｕｔ）」という用語は、広く規定されるものであって、必ずしも全てが特定されたものではない（特定されているものを含む；例えば、「実質的に９０度」は９０度を含み、「実質的に平行」は平行を含む）。開示された如何なる実施形態においても、「実質的に」、「約（ａｐｐｒｏｘｉｍａｔｅｌｙ）」、「約（ａｂｏｕｔ）」という用語は、特定されたものの「〜（％）の範囲内で」と置き換えることができ、この割合は、０．１、１、５、１０％を含む。
【００１２】
用語「具える（ｃｏｍｐｒｉｓｅ）」（ｃｏｍｐｒｉｓｅｓやｃｏｍｐｒｉｓｉｎｇ等のｃｏｍｐｒｉｓｅの全ての変形）、用語「有する（ｈａｖｅ）」（ｈａｓやｈａｖｉｎｇ等のｈａｖｅの全ての変形)、用語「含む（ｉｎｃｌｕｄｅ）」（ｉｎｃｌｕｄｅｓやｉｎｃｌｕｄｉｎｇ等のｉｎｃｌｕｄｅの全ての変形）、用語「含有する（ｃｏｎｔａｉｎ）」（ｃｏｎｔａｉｎｓやｃｏｎｔａｉｎｉｎｇ等のｃｏｎｔａｉｎの全ての変形）は、制限のない連結動詞である。その結果、１又はそれ以上の構成要素を具える、有する、含む、又は含有するシステム又はシステムの構成要素は、それらの１又はそれ以上の要素又は特徴を所有するが、それらの要素又は特徴のみを所有することに制限されない。同様に、１又はそれ以上のプロセスを具える、有する、含む、又は含有する方法は、それらの１又はそれ以上のプロセスを所有するが、それらの１又はそれ以上のプロセスのみを所有することに制限されない。更に、「第１の」及び「第２の」のような用語は、単に構造物や特徴を区別するために使用されており、異なる構造物や特徴を特定の順序に制限するものではない。
【００１３】
特定の方法で構成されるデバイス、システム又はそれらの構成要素は、少なくともその方法で構成されているが、それらは特に記載された方法以外の他の方法で構成されてもよい。
【００１４】
全てのシステム及び方法の如何なる実施形態も、記載された如何なる要素、特徴、及び／又はステップを、具える、有する、含む、又は含有する、のではなく、構成する、又は原則的に構成することができる。したがって、全ての請求項において、与えられた請求項の範囲を変更するためには、上記のように制限のない連結動詞を用いることとは違った方法で、上記の制限のない連結動詞を「を構成する（ｃｏｎｓｉｓｔｉｎｇ ｏｆ）」又は「を原則的に構成する（ｃｏｎｓｉｓｔｉｎｇ ｅｓｓｅｎｔｉａｌｌｙ ｏｆ）」という用語で置き換えることができる。
【００１５】
１つの実施形態の１又は複数の特徴は、本明細書の記載又は実施形態の特性により明確に禁止されている場合を除き、記載又は図示にかかわらずその他の実施形態に適用することができる。
【００１６】
上記又はその他に記載された実施形態に関連する詳細は、以下に示される。
【図面の簡単な説明】
【００１７】
【図１】図１は、本願に記載の実施形態による医療用マットレスシステムの上面図である。
【図２】図２は、図１の医療用マットレスシステムの側面図である。
【図３】図３は、図１の医療用マットレスシステムの等尺斜視図である。
【図４】図４は、図１の医療用マットレスシステムの端面図であり、患者のフルターンを示している。
【発明を実施するための形態】
【００１８】
以下の詳細な説明では、添付の図面とともに説明がなされており、これらは例示的に示されるものであって、発明の実施形態を制限かつ排除するものではない。これらの実施形態は、当業者が実施形態を十分に実施できるように詳細に記載されており、記載の意図又は範囲から逸脱することがなくその他の実施形態も使用され、その他の変形がなされてもよいことが理解される。したがって、以下の詳細な説明は、制限する意図で用いられるものではなく、発明の範囲は特許請求の範囲によってのみ規定される。添付図面において、同じ参照数字は、指定されない限り各図にわたって同じ部分を示している。
【００１９】
図１−４に示される実施形態を参照すると、患者支持装置１００は、支持台１２０に配置されたマットレス１１０、台を上昇及び下降させる複数の膨張式の転回ブラダ１３０、及び、転回ブラダ１３０を膨張させる流体供給源１４０を具える。
【００２０】
一実施形態において、マットレス１１０は、膨張式のマットレスを具えるが、非膨張式のマットレスを使用してもよい。膨張式のマットレス１１０は、複数の膨張式のクッション１５０によって形成される。図に示す実施形態において、膨張式のクッション１５０は、２つの層１６０、１７０に配置されている。膨張式のクッション１５０の下層１７０は、互いに流体接続されており、１又はそれ以上の区画を形成している。一実施形態において、下層１７０は単一の区画を具え、区画全体にわたって固さと圧力分配を提供している。図３に示すように、この下層１７０は、下段のクッションとして構成されており、１つの連続する空間である。膨張式のクッションの上層１６０も、１又はそれ以上の区画を具えている。一実施形態において、上層１６０は、頭用の区画１８０、肩用の区画１９０、胴体用の区画２００、及び脚用の区画２１０の４つの区画を具えている。４つの区画はそれぞれ、異なる圧力と異なる支持量とを提供するように個別に制御されている。マットレス１１０は、拡張可能な長さの部分２２０と拡張バルブ接続部２６０を具えており、調整可能なベッドフレームの長さに適応させている。
【００２１】
一実施形態として、マットレス１１０は、実質的に硬質支持台１２０によって支持されている。支持台１２０は、マットレス１１０全体を、同時に移動することのできるような固さを提供する。支持台１２０は、第２の支持台２３０と連結して、操作中に、支持台１２０とマットレス１１０とを所望の位置に維持するようにしてもよい。一実施形態においては、ストラップ２４０を用いて、支持台１２０を支持台２３０に連結している。ストラップ２４０は、以下に述べる転回ブラダ１３０が移動しないようにする。
【００２２】
１又はそれ以上の転回ブラダ１３０は、マットレス１１０の長手方向の端部２５０、２６０それぞれに沿って配置されている。明確にするために、転回ブラダ１３０は、マットレス１１０の片側２５０に沿ってのみ示されている。一実施形態において、各転回ブラダは、マットレス１１０の容積に比べて、比較的低容量である。例えば、膨張状態の転回ブラダ１３０の容積は、マットレスの容積の４−２０％であってもよい。一実施形態において、膨張状態にある転回ブラダ１３０の容積は、マットレスの容積の１０％未満であり、特に、一実施形態では、その容積はマットレス容積の約６．５％である。使用できる転回ブラダ１３０の数はいくつでもよい。図示された実施形態においては、４つの転回ブラダ１３０が、マットレス１１０の片側２５０に沿って設けられている。
【００２３】
一実施形態において、転回ブラダ１３０は、柱状のブラダとして構成されている。図３は、フルターンした柱状の転回ブラダを、例示的に示している。本明細書で用いられているように、柱状とは、マットレス１１０の長さ及び幅と比較したときに、相対的に幅と長さが短いことを意味する。幾つかの実施形態において、ブラダの幅は、マットレス１１０の幅の１０−２５％である。その他の実施形態においては、ブラダの幅が、マットレスの幅の約２０％未満であり、又はマットレスの幅の約１７％である。幾つかの実施形態においては、ブラダの長さは、マットレスの長さの５−１５％である。その他の実施形態においては、ブラダの長さは、マットレスの長さの約１０％未満であり、又はマットレスの長さの約７％である。柱状のブラダは、四角形、円形又はその他の如何なる形状であってもよい。転回ブラダ１３０の高さが、マットレス１１０の回転角度を決定する。ある実施形態において、転回ブラダ１３０の高さは、水平に対し２０度の角度でマットレス１１０をターンさせるよう選択されている。その他の実施形態では、転回ブラダ１３０の高さが、マットレスの幅の約２５％未満であり、別の特定の実施形態においては、マットレスの幅の２３％である。
【００２４】
一実施形態において、転回ブラダ１３０は、移動可能にマットレス１１０に取り付けられており、個々の転回ブラダ１３０は交換が可能である。特に一実施形態においては、転回ブラダ１３０がジッパーで取り付けられている。
【００２５】
流体供給源１４０は、転回ブラダ１３０に連結されており、流体を供給し、転回ブラダ１３０を膨張させる。１つの実施形態において、供給源１４０は、１−２００ｍｍＨｇの圧力で、１分当たり０．１−１００Ｌの空気を供給する。従来の転回マットレスと比較すると、容量が非常に小さく圧力が非常に高い。
【００２６】
流体供給源１４０は、転回ブラダ１３０に直接的に連結されていてもよく、又はチューブを介して連結されていてもよい。１つの実施形態において、転回ブラダ１３０は、チューブによってマニフォールド２７０に連結されている。マニフォールド２７０は、着脱が容易な装着であり、空気供給源を素早く転回ブラダ１３０に連結し、又は転回ブラダ１３０から取り外すことができる。
【００２７】
作動時に、低容量で高圧の空気供給源１４０は、転回ブラダ１３０へ選択的に空気を供給し、マットレス１１０の一縁部に沿ってブラダを膨張させ、また収縮させる。ブラダを膨張させると、ブラダはマットレス１１０の片側を持ち上げ、マットレスをターンさせる。ブラダが収縮すると、マットレス１１０は水平位置へ戻る。このプロセスは、マットレス１１０のもう一方の縁部で転回ブラダ１３０を用いて繰り返すことができる。
【００２８】
低容量で高圧の空気供給源の使用は、従来のシステムに対して幾つかの利点を提供する。例えば、低容量で高圧の空気供給源は、従来の高容量で低圧の空気供給源よりも静かであり、エネルギー効率が高い。更に、低容量であるため、迅速な膨張及び収縮が可能となり、それによって迅速な転回が達成される。
【００２９】
上記の詳細や実施例は、構造の全ての記載と例示的な実施形態の使用を提供している。特定の実施形態は、具体的な特定の角度や１又はそれ以上のそれぞれ実施形態と共に上記に記載されているが、当業者は、発明の範囲から逸脱することなく、開示された実施形態のさまざまな変更を行うことができる。このように、示された様々な本願の装置の実施形態は、開示された特定の形態に限定されるものではない。むしろ、それらは、請求の範囲内へと落とし込むあらゆる改良及び代替手段を含んでおり、示された１以上のその他の実施形態は、示された実施形態の特徴の幾つか又は全てを包含することができる。例えば、構成要素は、単一の構造物として組み合わせられてもよく、及び／又は接続は置き換えられてもよい（例えば、装着は、圧入又は溶接と置き換えられてもよい。）更に、使用場所や、上記の如何なる実施例の特徴も、その他の例の如何なる特徴と組み合わせて、同等又は異なる特徴を持ち、同じ又は異なる問題点を解決する更なる実施例を成すことができる。同様に、上記の利益及び利点は、ある実施形態又は幾つかの実施形態に関連し得る。
【００３０】
それぞれ、「〜の方法」、又は「〜のステップ」という文を用いて提示された請求項では、制限が明確に記載されている場合を除き、請求項がミーンズ・プラス・ファンクションの制限を含むことを意図しておらず、又は含むと解釈されるべきではない。
【手続補正２】
【補正対象書類名】図面
【補正対象項目名】全図
【補正方法】変更
【補正の内容】
【図１】
2017522166.tif 000007
【図２】
2017522166.tif 000008
【図３】
2017522166.tif 000009
【図４】
2017522166.tif 000010
【手続補正書】
【提出日】平成29年3月27日(2017.3.27)
【手続補正１】
【補正対象書類名】図面
【補正対象項目名】図１
【補正方法】変更
【補正の内容】
【図１】
2017522166.tif 000011
【手続補正２】
【補正対象書類名】図面
【補正対象項目名】図２
【補正方法】変更
【補正の内容】
【図２】
2017522166.tif 000012
【手続補正３】
【補正対象書類名】図面
【補正対象項目名】図３
【補正方法】変更
【補正の内容】
【図３】
2017522166.tif 000013
【手続補正４】
【補正対象書類名】図面
【補正対象項目名】図４
【補正方法】変更
【補正の内容】
【図４】
2017522166.tif 000014
【国際調査報告】
2017522166.tif 000015
2017522166.tif 000016